(57)【要約】【課題】吸引孔による吸引力を利用して媒体を支持部に確りと支持させる構成において、装置の大型化を抑制しつつ吸引力の低下を抑制する。【解決手段】媒体Ｐを支持する媒体支持部４６と、媒体Ｐを搬送する搬送部４と、を備え、媒体支持部４６は、媒体Ｐを支持する支持面８に吸引孔２１が複数設けられる支持部２３と、負圧源１９に接続されることで吸引孔２１に吸引力を付与する負圧部１８と、吸引孔２１を遮蔽可能な遮蔽膜９を巻き取り及び送り出し可能な遮蔽部１２と、を備え、遮蔽部１２は、搬送部４による媒体Ｐの搬送位置に基づいて遮蔽膜９の位置を調整することにより、複数の吸引孔２１の遮蔽状態を変更する媒体搬送装置２。【選択図】図２
2018039114.tif 000002
【特許請求の範囲】
【請求項１】
媒体を支持する媒体支持部と、前記媒体を搬送する搬送部と、を備え、
前記媒体支持部は、
前記媒体を支持する支持面に吸引孔が複数設けられる支持部と、
負圧源に接続されることで前記吸引孔に吸引力を付与する負圧部と、
前記吸引孔を遮蔽可能な遮蔽膜を巻き取り及び送り出し可能な遮蔽部と、を備え、
前記遮蔽部は、前記搬送部による前記媒体の搬送位置に基づいて前記遮蔽膜の位置を調
整することにより、複数の前記吸引孔の遮蔽状態を変更することを特徴とする媒体搬送装
置。
【請求項２】
請求項１に記載の媒体搬送装置において、
前記媒体の搬送位置を検出する検出部を備え、
前記遮蔽部は、前記検出部により検出される前記媒体の搬送位置に基づいて前記遮蔽膜
の位置を調整することを特徴とする媒体搬送装置。
【請求項３】
請求項１又は２に記載の媒体搬送装置において、
前記遮蔽部は、前記遮蔽膜を前記媒体の搬送方向に沿って巻き取り及び送り出し可能で
あることを特徴とする媒体搬送装置。
【請求項４】
請求項３に記載の媒体搬送装置において、
前記遮蔽部は、前記搬送方向に沿って巻き取り及び送り出し可能な前記遮蔽膜を該搬送
方向と交差する方向に複数有することを特徴とする媒体搬送装置。
【請求項５】
請求項３に記載の媒体搬送装置において、
前記遮蔽部は、前記搬送方向に沿って巻き取り及び送り出し可能な前記遮蔽膜とは別に
、該搬送方向と交差する方向に沿って巻き取り及び送り出し可能なサブ遮蔽膜を有するこ
とを特徴とする媒体搬送装置。
【請求項６】
請求項４又は５に記載の媒体搬送装置において、
前記媒体の前記搬送方向と交差する方向の長さである媒体幅を検出する媒体幅検出部を
備えることを特徴とする媒体搬送装置。
【請求項７】
請求項１から６のいずれか１項に記載の媒体搬送装置において、
前記負圧部と前記支持部との間に、貫通孔が設けられるとともに前記遮蔽膜を支持する
遮蔽膜支持部を備えることを特徴とする媒体搬送装置。
【請求項８】
請求項７に記載の媒体搬送装置において、
前記貫通孔は、前記支持面と直交する方向から見て前記吸引孔と同位置に形成されるこ
とを特徴とする媒体搬送装置。
【請求項９】
請求項１から８のいずれか１項に記載の媒体搬送装置と、
前記媒体搬送装置により搬送される前記媒体に記録する記録部と、
を備えることを特徴とする記録装置。
【請求項１０】
請求項９に記載の媒体搬送装置において、
前記遮蔽部は、前記媒体の搬送方向と交差する方向の該媒体の縁部に対応する前記支持
部の領域に前記遮蔽膜が進入することを抑制する進入抑制機構を有することを特徴とする
記録装置。
【発明の詳細な説明】
【技術分野】
【０００１】
本発明は、媒体搬送装置及び記録装置に関する。
【背景技術】
【０００２】
従来から、様々な媒体搬送装置が使用されている。このうち、媒体の支持部に吸引孔を
設け、該吸引孔による吸引力を利用して媒体を支持部に確りと支持させる構成の媒体搬送
装置が使用されている。  
例えば、特許文献１には、記録媒体の支持部としてのプラテンに吸引孔としての吸引口
を設け、吸引口による吸引力を利用して記録媒体をプラテンに確りと支持させる構成のプ
ラテン装置が開示されている。
【先行技術文献】
【特許文献】
【０００３】
【特許文献１】特開２０１４−１７２３９３号公報
【発明の概要】
【発明が解決しようとする課題】
【０００４】
しかしながら、媒体の支持部に吸引孔を設け、該吸引孔による吸引力を利用して媒体を
支持部に確りと支持させる構成の媒体搬送装置においては、媒体が支持部に支持されてい
るか否か、媒体が支持部に対してどの位置にあるか、媒体の幅が広いか狭いか、などの条
件によって、媒体を吸引している状態の吸引孔（媒体に塞がれている吸引孔）の数が変わ
ってくる。例えば、媒体が支持部の支持領域に十分に進入することにより該媒体に塞がれ
る吸引孔が多くなれば塞がれていない吸引孔からの空気の流入（吸引力の低下）が減り確
りと媒体を支持できるが、媒体が支持部の支持領域に進入した直後や幅の狭い媒体を使用
した場合などにおいては該媒体に塞がれる吸引孔が少なく塞がれていない吸引孔からの空
気の流入が多くなって吸引力が低下して確りと媒体を支持できなくなる場合がある。すな
わち、媒体の吸引状態が、媒体を吸引している状態の吸引孔の数（媒体に塞がれる吸引孔
の数）によって変わり、媒体を支持部に確りと支持させることができなくなる場合があっ
た。  
そこで、特許文献１のプラテン装置は、媒体に塞がれる吸引孔の数に関する条件で媒体
の吸引状態が大きく変わらないように、吸引孔（吸引口）を遮蔽するシャッターを備えて
いる。このため、吸引力の低下を抑制することが可能になっている。  
ただし、シャッターを備える構成とすると装置が大きくなる傾向になり、装置の大型化
を抑制することが望まれている。
【０００５】
そこで、本発明は、吸引孔による吸引力を利用して媒体を支持部に確りと支持させる構
成において、装置の大型化を抑制しつつ吸引力の低下を抑制することを目的にする。
【課題を解決するための手段】
【０００６】
上記課題を解決するための本発明の第１の態様の媒体搬送装置は、媒体を支持する媒体
支持部と、前記媒体を搬送する搬送部と、を備え、前記媒体支持部は、前記媒体を支持す
る支持面に吸引孔が複数設けられる支持部と、負圧源に接続されることで前記吸引孔に吸
引力を付与する負圧部と、前記吸引孔を遮蔽可能な遮蔽膜を巻き取り及び送り出し可能な
遮蔽部と、を備え、前記遮蔽部は、前記搬送部による前記媒体の搬送位置に基づいて前記
遮蔽膜の位置を調整することにより、複数の前記吸引孔の遮蔽状態を変更することを特徴
とする。
【０００７】
本態様によれば、吸引孔を遮蔽可能な遮蔽膜を巻き取り及び送り出し可能な遮蔽部を備
え、遮蔽部は搬送部による媒体の搬送位置に基づいて遮蔽膜の位置を調整することにより
複数の吸引孔の遮蔽状態を変更する。このため、巻き取り及び送り出し可能な遮蔽膜を用
いることで装置の大型化を抑制でき、媒体の搬送位置に基づいて遮蔽膜の位置を調整する
ことにより媒体と対向していない吸引孔からの空気の流入を抑制して吸引力の低下を抑制
できる。したがって、装置の大型化を抑制しつつ吸引力の低下を抑制することができる。
【０００８】
本発明の第２の態様の媒体搬送装置は、前記第１の態様において、前記媒体の搬送位置
を検出する検出部を備え、前記遮蔽部は、前記検出部により検出される前記媒体の搬送位
置に基づいて前記遮蔽膜の位置を調整することを特徴とする。
【０００９】
本態様によれば、遮蔽部は検出部により検出される媒体の搬送位置に基づいて遮蔽膜の
位置を調整する。このため、検出部により正確に媒体の搬送位置を検出でき、高い精度で
吸引力の低下を抑制することができる。
【００１０】
本発明の第３の態様の媒体搬送装置は、前記第１又は第２の態様において、前記遮蔽部
は、前記遮蔽膜を前記媒体の搬送方向に沿って巻き取り及び送り出し可能であることを特
徴とする。
【００１１】
本態様によれば、遮蔽部は遮蔽膜を搬送方向に沿って巻き取り及び送り出し可能である
。このような構成とすることで、簡単に、媒体の搬送位置に基づいて遮蔽膜の位置を調整
することができる。
【００１２】
本発明の第４の態様の媒体搬送装置は、前記第３の態様において、前記遮蔽部は、前記
搬送方向に沿って巻き取り及び送り出し可能な前記遮蔽膜を該搬送方向と交差する方向に
複数有することを特徴とする。
【００１３】
本態様によれば、遮蔽部は搬送方向に沿って巻き取り及び送り出し可能な遮蔽膜を該搬
送方向と交差する方向に複数有する。このため、媒体幅に応じて適切な遮蔽膜のみを巻き
取り及び送り出しすることにより、媒体幅に応じて適切に吸引力の低下を抑制することが
できる。
【００１４】
本発明の第５の態様の媒体搬送装置は、前記第３の態様において、前記遮蔽部は、前記
搬送方向に沿って巻き取り及び送り出し可能な前記遮蔽膜とは別に、該搬送方向と交差す
る方向に沿って巻き取り及び送り出し可能なサブ遮蔽膜を有することを特徴とする。
【００１５】
本態様によれば、遮蔽部は搬送方向に沿って巻き取り及び送り出し可能な遮蔽膜とは別
に、該搬送方向と交差する方向に沿って巻き取り及び送り出し可能なサブ遮蔽膜を有する
。このため、媒体幅に応じて適切な長さにサブ遮蔽膜を送り出すことにより、媒体幅に応
じて適切に吸引力の低下を抑制することができる。
【００１６】
本発明の第６の態様の媒体搬送装置は、前記第４又は第５の態様において、前記媒体の
前記搬送方向と交差する方向の長さである媒体幅を検出する媒体幅検出部を備えることを
特徴とする。
【００１７】
本態様によれば、媒体幅を検出する媒体幅検出部を備える。このため、媒体幅検出部に
より正確に媒体幅を検出でき、高い精度で媒体幅に応じて適切に吸引孔を遮蔽することに
より、高い精度で媒体幅に応じて適切に吸引力の低下を抑制することができる。
【００１８】
本発明の第７の態様の媒体搬送装置は、前記第１から第６のいずれか１つの態様におい
て、前記負圧部と前記支持部との間に、貫通孔が設けられるとともに前記遮蔽膜を支持す
る遮蔽膜支持部を備えることを特徴とする。
【００１９】
本態様によれば、負圧部と支持部との間に、貫通孔が設けられるとともに遮蔽膜を支持
する遮蔽膜支持部を備える。このため、遮蔽膜を確りと支持させることが可能になり、遮
蔽膜が変形して遮蔽効果が低下することを抑制できる。
【００２０】
本発明の第８の態様の媒体搬送装置は、前記第７の態様において、前記貫通孔は、前記
支持面と直交する方向から見て前記吸引孔と同位置に形成されることを特徴とする。
【００２１】
本態様によれば、貫通孔は支持面と直交する方向から見て吸引孔と同位置に形成される
。このため、貫通孔を介して吸引孔に効率的に吸引力を付与でき、負圧部による吸引効果
を特に高めることができる。
【００２２】
本発明の第９の態様の記録装置は、前記第１から第８のいずれか１つの態様の媒体搬送
装置と、前記媒体搬送装置により搬送される前記媒体に記録する記録部と、を備えること
を特徴とする。
【００２３】
本態様によれば、装置の大型化を抑制しつつ、吸引力の低下を抑制した状態で確りと支
持された媒体に記録することができる。
【００２４】
本発明の第１０の態様の記録装置は、前記第９の態様において、前記遮蔽部は、前記媒
体の搬送方向と交差する方向の該媒体の縁部に対応する前記支持部の領域に前記遮蔽膜が
進入することを抑制する進入抑制機構を有することを特徴とする。
【００２５】
媒体の縁部に記録可能な記録装置で該媒体の縁部に対応する支持部の領域にはインクが
支持面に付着して汚れないように該インクを排出するための溝部などが形成される。そこ
で、本態様によれば、遮蔽部は、媒体の縁部に対応する支持部の領域に遮蔽膜が進入する
ことを抑制する進入抑制機構を有する。このため、遮蔽膜が溝部などと干渉して遮蔽膜が
破損することを抑制しつつ吸引力の低下を抑制することができる。
【図面の簡単な説明】
【００２６】
【図１】本発明の実施例１に係る記録装置の概略側面断面図。
【図２】本発明の実施例１に係る記録装置の概略側面断面図。
【図３】本発明の実施例１に係る記録装置の要部の概略側面図。
【図４】本発明の実施例１に係る記録装置の要部の概略側面図。
【図５】本発明の実施例１に係る記録装置のブロック図。
【図６】本発明の実施例１に係る記録装置の要部の概略斜視断面図。
【図７】本発明の実施例１に係る記録装置の要部の概略斜視図。
【図８】本発明の実施例１に係る記録装置の要部の概略斜視図。
【図９】本発明の実施例１に係る記録装置の要部の概略側面図。
【図１０】本発明の実施例１に係る記録装置の要部の概略側面図。
【図１１】本発明の実施例２に係る記録装置の要部の概略平面図。
【発明を実施するための形態】
【００２７】
［実施例１］  （図１から図８に対応）  
以下に、本発明の実施例１に係る媒体搬送装置２を有する記録装置１について、添付図
面を参照して詳細に説明する。  
最初に、本実施例の記録装置１について説明する。  
図１及び図２は本実施例の記録装置１の概略側面断面図であり、このうち図１は媒体Ｐ
が搬送されていない状態、図２は媒体Ｐが記録部としての記録ヘッド３による記録開始位
置まで搬送された状態を表している。
【００２８】
本実施例の記録装置１は、媒体Ｐを搬送する媒体搬送装置２と、該媒体搬送装置２によ
り搬送される媒体Ｐに不図示のノズルからインクを吐出して記録（画像を形成）する記録
ヘッド３と、を備えている。記録ヘッド３は、キャリッジ１０に形成され、媒体Ｐの搬送
方向Ａと交差する走査方向Ｂに往復移動しながら搬送される媒体Ｐにインクを吐出して記
録する。詳細には、本実施例の記録装置１は、所定量（１パス分）媒体Ｐを搬送方向Ａに
搬送させることと、媒体Ｐを停止した状態で記録ヘッド３を走査方向Ｂに移動させながら
インクを吐出させることと、を繰り返すことで、媒体Ｐに所望の画像を形成可能な構成で
ある。
【００２９】
ここで、本実施例の媒体搬送装置２は、媒体Ｐを搬送方向Ａに搬送させるための搬送部
としての、駆動ローラー５及び従動ローラー６とからなる、ローラー対４を備えている。
また、記録ヘッド３と対向する記録領域Ｔｐを含む支持領域Ｔにおいて搬送される媒体Ｐ
を支持面８で支持するプラテン７を有する媒体支持部４６を備えている。
【００３０】
媒体支持部４６を構成するプラテン７の内部には支持面８に沿って広がる空間Ｓが設け
られており、該空間Ｓには遮蔽膜９が設けられている。遮蔽膜９は、空間Ｓにおいて、遮
蔽膜巻取ローラー１１に巻き取られる（遮蔽膜巻取ローラー１１が回転方向Ｃ１に回転す
る）ことで搬送方向Ａの下流側に移動する（巻き取られる）。そして、遮蔽膜９は、空間
Ｓにおいて、遮蔽膜巻取ローラー１１から送り出される（遮蔽膜巻取ローラー１１が回転
方向Ｃ２に回転する）ことで搬送方向Ａの上流側に移動する（送り出される）。なお、遮
蔽膜９及び遮蔽膜巻取ローラー１１等から構成される遮蔽部１２についての詳細は後述す
る。
【００３１】
また、プラテン７の下部（記録ヘッド３が設けられる側とは反対側）には、負圧源とし
てのポンプ１９（図５参照）に接続される負圧部としての負圧室１８が形成されている。
そして、プラテン７の負圧室１８側の底部２２には負圧室１８から空間Ｓに貫通する貫通
孔２０が複数設けられ、プラテン７の支持面８側の支持部２３には空間Ｓから記録ヘッド
３側に貫通する貫通孔である吸引孔２１が複数設けられている。このような構成により、
空間Ｓは遮蔽膜９により遮蔽されていない貫通孔２０を介して負圧状態の負圧室１８の影
響により負圧となり、負圧となった空間Ｓの影響により支持面８に支持される媒体Ｐは遮
蔽膜９により遮蔽されていない吸引孔２１を介して支持面８に向けて吸引される。すなわ
ち、支持面８上に位置する媒体Ｐは、遮蔽膜９により遮蔽されていない吸引孔２１により
該支持面８に吸着されつつ支持される。
【００３２】
このように、本実施例の媒体搬送装置２は、媒体Ｐを支持する媒体支持部４６（プラテ
ン７）と、媒体Ｐを搬送するローラー対４と、を備えている。そして、媒体支持部４６は
、媒体Ｐを支持する支持面８が設けられるとともに該支持面８側から反対側に貫通する吸
引孔２１が複数設けられる支持部２３と、支持部２３の該支持面８側とは反対側に設けら
れるとともに負圧源であるポンプ１９に接続されることで吸引孔２１に吸引力を付与する
負圧室１８と、吸引孔２１を遮蔽可能な遮蔽膜９を巻き取り及び送り出し可能な遮蔽部１
２と、を備えている。  
また、本実施例の遮蔽部１２は、ローラー対４による媒体Ｐの搬送位置に基づいて遮蔽
膜９の位置を調整することにより、複数の吸引孔２１の遮蔽状態を変更することができる
構成になっている。詳細には、後述の制御部２７（図５参照）の制御により、媒体Ｐを搬
送させることに伴って、搬送方向Ａにおける媒体Ｐの先端Ｐｔｉｐの位置と遮蔽膜９の先
端９ｔｉｐの位置とが合うようにして（図２参照）媒体Ｐの搬送に合せて遮蔽膜９を移動
させることができる。  
すなわち、本実施例の媒体搬送装置２は、吸引孔２１を遮蔽可能な遮蔽膜９を巻き取り
及び送り出し可能な遮蔽部１２を備え、遮蔽部１２がローラー対４による媒体Ｐの搬送位
置に基づいて遮蔽膜９の位置を調整することにより複数の吸引孔２１の遮蔽状態を変更す
ることができる構成である。このため、巻き取り及び送り出し可能な遮蔽膜９を用いるこ
とで該媒体搬送装置２の大型化を抑制し、媒体Ｐの搬送位置に基づいて遮蔽膜９の位置を
調整することにより媒体と対向していない吸引孔２１からの空気の流入を抑制して吸引力
の低下を抑制している。したがって、本実施例の媒体搬送装置２は、装置の大型化を抑制
しつつ吸引力の低下を抑制することができる構成になっている。
【００３３】
また、別の表現をすると、本実施例の記録装置１は、上記のような媒体搬送装置２と、
該媒体搬送装置２により搬送される媒体Ｐに記録する記録部としての記録ヘッド３と、を
備えている。このため、該記録装置１の大型化を抑制しつつ、吸引力の低下を抑制した状
態で確りと支持された媒体Ｐに記録することができる構成になっている。
【００３４】
ここで、図１及び図２で表されるように、本実施例の媒体搬送装置２は、空間Ｓにおい
て遮蔽膜９を支持する底部２２を備えている。そして、該底部２２、すなわち、負圧室１
８と支持部２３との間には、貫通孔２０が設けられている。別の表現をすると、本実施例
の媒体搬送装置２は、負圧室１８と支持部２３との間に、貫通孔２０が設けられるととも
に遮蔽膜９を支持する遮蔽膜支持部としての底部２２を備えている。このような構成とす
ることで、遮蔽膜９を確りと支持させることが可能になり、遮蔽膜９が変形して遮蔽効果
が低下することを抑制している。
【００３５】
また、図１及び図２で表されるように、該貫通孔２０は、支持面８と直交する方向から
見て吸引孔２１と同位置に形成されている。このため、貫通孔２０を介して吸引孔２１に
効率的に吸引力を付与でき、負圧室１８による吸引効果を特に高めることができる構成に
なっている。
【００３６】
次に、遮蔽部１２の詳細な構成について説明する。  
図３及び図４は、本実施例の記録装置１の要部である遮蔽部１２（遮蔽部１２ａ）の概
略側面図である。このうち、図３は遮蔽膜９（遮蔽膜９ａ）の巻き取り及び送り出しをす
る際の遮蔽部１２の状態を表しており、図４は遮蔽膜９の巻き取り及び送り出しをする際
以外の遮蔽部１２の状態を表している。
【００３７】
本実施例の遮蔽部１２は、遮蔽膜９と、該遮蔽膜９が巻きつけられる筒状の遮蔽膜巻取
ローラー１１（遮蔽膜巻取ローラー１１ａ）と、遮蔽膜９を移動させるための駆動源であ
る遮蔽膜移動モーター２５（図５参照）と接続され筒状の遮蔽膜巻取ローラー１１の内部
の設けられる回転軸１４（回転軸１４ａ）と、を備えている。さらに、カム移動モーター
２６（図５参照）と接続され回転軸２４（回転軸２４ａ）を中心に回転方向Ｃ１及びＣ２
に回転可能な切欠き部を有するカム１７（カム１７ａ）と、揺動軸１６（揺動軸１６ａ）
を基準に軸部１５（軸部１５ａ）がカム１７と接触することにより方向Ｅに押し上げられ
て遮蔽膜巻取ローラー１１を回転軸１４に接触させる従動ローラー形状の接触部１３（接
触部１３ａ）と、を備えている。ここで、回転軸１４は、遮蔽膜移動モーター２５の駆動
力により回転方向Ｃ１及びＣ２に回転可能な構成になっている。
【００３８】
図３で表される状態においては、カム１７は軸部１５に対して切欠き部分が面している
。そして、カム１７は軸部１５に対して接触しておらず、遮蔽膜９の巻き取り及び送り出
しが可能な遮蔽膜巻取ローラー１１と、遮蔽膜移動モーター２５と接続され回転方向Ｃ１
及びＣ２に回転可能な回転軸１４と、が接触していない。このため、この状態では、回転
軸１４の回転方向Ｃ１及びＣ２の駆動力を遮蔽膜巻取ローラー１１に伝達できず、遮蔽部
１２は遮蔽膜９の巻き取り及び送り出しをすることができない。
【００３９】
一方、図４で表される状態においては、カム１７は軸部１５に対して円周面部分が面し
ている。そして、カム１７は軸部１５に対して接触しており、接触部１３が方向Ｅに押し
上げられることにより、遮蔽膜９の巻き取り及び送り出しが可能な遮蔽膜巻取ローラー１
１と、遮蔽膜移動モーター２５と接続され回転方向Ｃ１及びＣ２に回転可能な回転軸１４
と、が接触している。このため、この状態では、回転軸１４の回転方向Ｃ１及びＣ２の駆
動力を遮蔽膜巻取ローラー１１に伝達でき、遮蔽部１２は遮蔽膜９の巻き取り及び送り出
しをすることができる。
【００４０】
すなわち、本実施例の遮蔽部１２は、遮蔽膜９の巻き取り及び送り出しをする場合は図
４の状態をとり、遮蔽膜９の巻き取り及び送り出しをしない場合は図３の状態をとる。た
だし、本実施例の遮蔽部１２は、制御部２７の制御により、遮蔽膜９の巻き取り及び送り
出しをしない場合に、図４の状態をとりつつ、回転軸１４を駆動させないという状態もと
ることができる。
【００４１】
このような構成により、本実施例の遮蔽部１２は、遮蔽膜９を媒体Ｐの搬送方向Ａに沿
って巻き取り及び送り出し可能である。そして、このような構成としていることで、制御
部２７の制御により、簡単に、媒体Ｐの搬送位置に基づいて遮蔽膜９の位置を調整してい
る。
【００４２】
次に、本実施例の記録装置１における電気的な構成について説明する。  
図５は、本実施例の記録装置１のブロック図である。  
制御部２７には、記録装置１の全体の制御を司るＣＰＵ２８が設けられている。ＣＰＵ
２８は、システムバス２９を介して、ＣＰＵ２８が実行する各種制御プログラム等を格納
したＲＯＭ３０と、データを一時的に格納可能なＲＡＭ３１と、に接続されている。
【００４３】
また、ＣＰＵ２８は、システムバス２９を介して、記録ヘッド３を駆動するためのヘッ
ド駆動部３２と接続されている。  
また、ＣＰＵ２８は、システムバス２９を介して、モーター駆動部３３と接続されてい
る。そして、モーター駆動部３３は、記録ヘッド３が設けられたキャリッジ１０を走査方
向Ｂに移動させるためのキャリッジモーター３４、媒体Ｐを搬送するために駆動ローラー
５を回転駆動させる搬送モーター３５、遮蔽膜９の巻き取り及び送り出しをする遮蔽膜巻
取ローラー１１の駆動源（回転軸１４の駆動源）となる遮蔽膜移動モーター２５、負圧室
１８を負圧にするための負圧源となるポンプ１９の駆動源であるポンプモーター３６、と
接続されている。  
さらに、ＣＰＵ２８は、システムバス２９を介して、入出力部３７と接続されている。
そして、入出力部３７は、媒体Ｐの搬送方向Ａにおける搬送位置を検出可能な搬送位置検
出部３８、媒体Ｐの幅（走査方向Ｂに沿う方向の長さ）を検出可能な媒体幅検出部３９、
記録データや各種指示などを記録装置１に出力可能なＰＣ４０、と接続されている。
【００４４】
このように、本実施例の媒体搬送装置２は、媒体Ｐの搬送位置を検出する検出部として
の搬送位置検出部３８を備えている。そして、遮蔽部１２は、制御部２７の制御により、
搬送位置検出部３８により検出される媒体Ｐの搬送位置に基づいて遮蔽膜９の位置を調整
する。このため、本実施例の媒体搬送装置２は、搬送位置検出部３８により正確に媒体Ｐ
の搬送位置を検出でき、高い精度で吸引力の低下を抑制することができる構成になってい
る。  
なお、搬送位置検出部３８を設けない構成とすることも可能であるが、搬送位置検出部
３８を設けない構成である場合、予め定められた搬送モーター３５の回転量などに基づい
て遮蔽膜９の位置を調整してもよい。
【００４５】
次に、本実施例の記録装置１（媒体搬送装置２）の要部である遮蔽膜９の詳細な構成に
ついて説明する。  
図６は、遮蔽部１２の概略斜視断面図である。また、図７及び図８は、図６に対応する
位置において、プラテン７を省略した状態における遮蔽部１２の概略斜視図である。なお
、図７及び図８では貫通孔２０など一部の構成要素は省略して表している。ここで、図８
は図７よりも遮蔽膜９が搬送方向Ａの上流側に位置している状態を表している。  
また、図９及び図１０は、本実施例の記録装置１の要部である遮蔽部１２（遮蔽部１２
ｂ）の概略側面図であり、図３及び図４の遮蔽部１２（遮蔽部１２ａ）とは別の部分（走
査方向Ｂにおいて異なる部分）の図である。このうち、図９は遮蔽部１２ａが図３で表さ
れる状態のときの遮蔽部１２ｂの状態を表しており、図１０は遮蔽部１２ａが図４で表さ
れる状態のときの遮蔽部１２ｂの状態を表している。なお、遮蔽部１２ｂの遮蔽膜９ｂ、
遮蔽膜巻取ローラー１１ｂ、接触部１３ｂ、回転軸１４ｂ、軸部１５ｂ、揺動軸１６ｂ、
カム１７ｂ及び回転軸２４ｂは、遮蔽部１２ａの遮蔽膜９ａ、遮蔽膜巻取ローラー１１ａ
、接触部１３ａ、回転軸１４ａ、軸部１５ａ、揺動軸１６ａ、カム１７ａ及び回転軸２４
ａに対応する。
【００４６】
図７及び図８で表されるように、本実施例の記録装置１は、遮蔽膜９として個々に搬送
方向Ａに沿って移動可能（巻き取り及び送り出し可能）な複数の遮蔽膜９ａ、９ｂ、…を
有している。そして、これら複数の遮蔽膜９を個別に巻き取り及び送り出し可能な構成に
なっている。具体的には、例えば、使用する媒体Ｐの媒体幅が遮蔽膜９ａの幅以下である
場合、遮蔽膜９ａ以外の遮蔽膜９は搬送方向Ａの上流側に位置させたまま（送り出したま
ま）にしておき、該媒体Ｐの搬送位置に応じて遮蔽膜９ａのみを巻き取っていくことがで
きる。同様に、例えば、使用する媒体Ｐの媒体幅が遮蔽膜９ａの幅以上であり遮蔽膜９ａ
及び９ｂの合計幅以下である場合、遮蔽膜９ａ及び９ｂ以外の遮蔽膜９は搬送方向Ａの上
流側に位置させたまま（送り出したまま）にしておき、該媒体Ｐの搬送位置に応じて遮蔽
膜９ａ及び９ｂのみを巻き取っていくことができる。
【００４７】
別の表現をすると、本実施例の媒体搬送装置２の遮蔽部１２は、搬送方向Ａに沿って巻
き取り及び送り出し可能な遮蔽膜９を該搬送方向Ａと交差する方向に複数有する。
このため、本実施例の媒体搬送装置２は、媒体幅に応じて適切な遮蔽膜９のみを巻き取り
及び送り出しすることにより、媒体幅に応じて適切に吸引力の低下を抑制することができ
る構成になっている。
【００４８】
ここで、複数の遮蔽膜９を個別に巻き取り及び送り出し可能な構成については複数の実
施形態が存在する。例えば、遮蔽幕９の数に応じて、遮蔽膜巻取ローラー１１、接触部１
３及びカム１７を設け、カムは桁位置ごとに動作する位相角を異ならせる構成とすること
ができる。図３及び図９は、複数の遮蔽部１２ａ及び１２ｂについて、カム１７ａ及び１
７ｂ動作によって接触部１３ａ及び１３ｂが遮蔽膜巻取ローラー１１ａ及び１１ｂに接触
する前の状態を示すものである。図４及び図１０は、図３及び図９の状態からカム１７ａ
及び１７ｂを回転させることで、一方の遮蔽膜巻取ローラー１１ａが他方の遮蔽膜巻取ロ
ーラー１１ｂより先に回転する状態を示すものである。カム１７ａ及び１７ｂの回転につ
いては上述の搬送位置検出部３８で読取るのが好ましい。これにより、媒体幅に応じて適
切に吸引力の低下を抑制することができる。
【００４９】
また、本実施例の媒体搬送装置２は、このような構成であるとともに、上記のように媒
体Ｐの搬送方向Ａと交差する方向の長さである媒体幅を検出する媒体幅検出部３９を備え
ている。このため、媒体幅検出部３９により正確に媒体幅を検出でき、複数の遮蔽膜９ａ
、９ｂ、…のうちの適切な遮蔽膜９のみを媒体Ｐの搬送位置に応じて巻き取っていくこと
で、高い精度で媒体幅に応じて適切に吸引孔２１を遮蔽することができ、高い精度で媒体
幅に応じて適切に吸引力の低下を抑制することができる構成になっている。
【００５０】
なお、図６で表されるように、本実施例の記録装置１は、プラテン７に溝部４３が設け
られ、該溝部４３の位置と媒体Ｐの幅方向における端部（縁部）の位置とを合わせること
により、媒体Ｐの縁部にも記録ができる構成になっている。溝部４３を設けることで、媒
体Ｐの縁部に記録する際にインクがプラテン７の支持面８に付着することを抑制している
。
【００５１】
本実施例の遮蔽膜９ａは、溝部４３に対応する位置に搬送方向Ａに沿う方向に設けられ
た切欠き４１が形成されることで帯状部４２が形成されている。そして、図７の状態から
図８の状態に遮蔽膜９ａを移動することに伴い、帯状部４２は、溝部４３と干渉しないよ
うに不図示の進路変更部により下部に退避可能になっている。
【００５２】
別の表現をすると、本実施例の記録装置１の遮蔽部１２は、媒体Ｐの搬送方向Ａと交差
する走査方向Ｂの該媒体Ｐの縁部に対応する支持部２３の領域に遮蔽膜９が進入すること
を抑制する進入抑制機構４４を有している。  
本実施例の記録装置１は、媒体Ｐの縁部に記録可能な記録装置１で該媒体Ｐの縁部に対
応する支持部２３の領域にはインクが支持面８に付着して汚れないように該インクを排出
するための溝部４３が形成されている。しかしながら、本実施例の遮蔽部１２は、媒体Ｐ
の縁部に対応する支持部２３の領域に遮蔽膜９が進入することを抑制する進入抑制機構４
４を有しているので、遮蔽膜９が溝部４３などと干渉して遮蔽膜９が破損することを抑制
しつつ吸引力の低下を抑制することができる構成になっている。
【００５３】
［実施例２］  （図１１に対応）  
以下に、本発明の実施例２に係る媒体搬送装置２を有する記録装置１について、添付図
面を参照して詳細に説明する。  
図１１は、本実施例の記録装置１の要部である遮蔽部１２を表す概略平面図である。な
お、図１１は、媒体Ｐ、遮蔽膜９及び後述のサブ遮蔽膜４５の位置関係が分かりやすいよ
うに、プラテン７の支持部２３を省略した状態を表している。  
ここで、本実施例の記録装置１は遮蔽部１２以外の構成は上記実施例１の記録装置１と
同様の構成である。なお、上記実施例１と共通する構成部材は同じ符号で示しており、詳
細な説明は省略する。
【００５４】
実施例１の記録装置１の遮蔽部１２は、図７及び図８で表されるように、遮蔽膜９とし
て、搬送方向Ａに沿う方向に個別に移動可能（巻き取り及び送り出し可能）な複数の遮蔽
膜９ａ、９ｂ、…を有していた。  
一方、本実施例の記録装置１の遮蔽部１２は、搬送方向Ａに沿って巻き取り及び送り出
し可能な１つの遮蔽膜９を空間Ｓに有するとともに、該遮蔽膜９とは別に、該搬送方向Ａ
と交差する走査方向Ｂに沿って巻き取り及び送り出し可能なサブ遮蔽膜４５を空間Ｓに有
している。このため、本実施例の媒体搬送装置２は、媒体幅に応じて適切な長さにサブ遮
蔽膜４５を送り出す（先端４５ｔｉｐを位置決めする）ことにより、実施例１の媒体搬送
装置２と同様、媒体幅に応じて適切に吸引力の低下を抑制することができる。
【００５５】
また、本実施例の媒体搬送装置２も、媒体Ｐの搬送方向Ａと交差する方向の長さである
媒体幅を検出する媒体幅検出部３９を備えている。このため、媒体幅検出部３９により正
確に媒体幅を検出でき、高い精度で媒体幅に応じて適切に吸引孔２１を遮蔽することによ
り、高い精度で媒体幅に応じて適切に吸引力の低下を抑制することができる構成になって
いる。
【００５６】
なお、本発明は上記実施例に限定されることなく、特許請求の範囲に記載した発明の範
囲内で種々の変形が可能であり、それらも本発明の範囲内に含まれることは言うまでもな
い。
【符号の説明】
【００５７】
１…記録装置、２…媒体搬送装置、３…記録ヘッド（記録部）、
４…ローラー対（搬送部）、５…駆動ローラー、６…従動ローラー、
７…プラテン、８…支持面、９、９ａ、９ｂ、…、…遮蔽膜、
９ｔｉｐ…遮蔽膜９の先端、１０…キャリッジ、
１１、１１ａ、１１ｂ…遮蔽膜巻取ローラー、１２、１２ａ、１２ｂ…遮蔽部、
１３、１３ａ、１３ｂ…接触部、１４、１４ａ、１４ｂ…回転軸、
１５、１５ａ、１５ｂ…軸部、１６、１６ａ、１６ｂ…揺動軸、
１７、１７ａ、１７ｂ…カム、１８…負圧室（負圧部）、１９…ポンプ（負圧源）、
２０…貫通孔、２１…吸引孔、２２…底部（遮蔽膜支持部）、２３…支持部、
２４、２４ａ、２４ｂ…回転軸、２５…遮蔽膜移動モーター、
２６…カム移動モーター、２７…制御部、２８…ＣＰＵ、２９…システムバス、
３０…ＲＯＭ、３１…ＲＡＭ、３２…ヘッド駆動部、３３…モーター駆動部、
３４…キャリッジモーター、３５…搬送モーター、３６…ポンプモーター、
３７…入出力部、３８…搬送位置検出部（検出部）、３９…媒体幅検出部、
４０…ＰＣ、４１…切欠き、４２…帯状部、４３…溝部、４４…進入抑制機構、
４５…サブ遮蔽膜、４５ｔｉｐ…サブ遮蔽膜４５の先端、４６…媒体支持部、
Ｐ…媒体、Ｐｔｉｐ…媒体Ｐの先端、Ｔ…支持領域、Ｔｐ…記録領域
【図１】
2018039114.tif 000003
【図２】
2018039114.tif 000004
【図３】
2018039114.tif 000005
【図４】
2018039114.tif 000006
【図５】
2018039114.tif 000007
【図６】
2018039114.tif 000008
【図７】
2018039114.tif 000009
【図８】
2018039114.tif 000010
【図９】
2018039114.tif 000011
【図１０】
2018039114.tif 000012
【図１１】
2018039114.tif 000013